(57)【要約】【課題】壁面から植生シートが落下しにくい構造を備えた壁面緑化パネルを提供することを目的とする。【解決手段】表面に緑植物が植生され、壁面側から突出する針状部材に差し込まれることにより支持される植生パッドと、前記植生パッドの側面に対向する方向に位置する第１のフレーム面と、前記植生パッドを挟んで前記壁面と向きあう方向に位置する第２のフレーム面とを備え、前記植生パッドを支持する支持枠と、前記植生パッドの平面方向に沿って延びる複数の線状部材を備える植生パッドの落下防止体と、前記落下防止体を前記支持枠に対して着脱可能に装着する外れ止め部材と、を有することを特徴とする壁面緑化パネル。【選択図】図１
2012135302.tif 000002
【特許請求の範囲】
【請求項１】
構造物の壁面緑化に用いられる壁面緑化パネルであって、
表面に緑植物が植生され、壁面側から突出する針状部材に差し込まれることにより支持される植生パッドと、
少なくとも前記植生パッドの側面に対向する方向に位置する第１のフレーム面と、前記植生パッドを挟んで前記壁面と向きあう方向に位置する第２のフレーム面とを備え、前記植生パッドを支持する支持枠と、
前記植生パッドの厚み方向において、前記植生パッドよりも前記壁面から離間した位置に設けられ、前記植生パッドの平面方向に沿って延びる複数の線状部材を備える植生パッドの落下防止体と、
前記落下防止体を前記支持枠に対して着脱可能に装着する外れ止め部材と、
を有することを特徴とする壁面緑化パネル。
【請求項２】
前記落下防止体は、網目状に形成されていることを特徴とする請求項１に記載の壁面緑化パネル。
【請求項３】
前記植生パッド及び前記壁面は接着剤により接着されていることを特徴とする請求項１又は２に記載の壁面緑化パネル。
【請求項４】
前記針状部材の長さは、前記植生パットの厚みよりも短いことを特徴とする請求項１乃至３のうちいずれか一つに記載の壁面緑化パネル。
【請求項５】
前記針状部材は、前記壁面に固定される支持プレートに形成されていることを特徴とする請求項１乃至４のうちいずれか一つに記載の壁面緑化パネル。
【請求項６】
前記支持プレート及び前記支持枠は前記植生パッドの厚み方向において互いに重ねて配置されており、これらの支持プレート及び支持枠を貫通して前記壁面に打ち込まれるアンカー部材を有することを特徴とする請求項５に記載の壁面緑化パネル。
【請求項７】
前記構造物は、駅舎であることを特徴とする請求項１乃至６のうちいずれか一つに記載の壁面緑化パネル
【請求項８】
前記外れ止め部材は、前記支持枠の外面に前記線状部材を押圧する押圧部を備えることを特徴とする請求項１乃至７のうちいずれか一つに記載の壁面緑化パネル。
【請求項９】
請求項１乃至８のうちいずれか一つに記載の壁面緑化パネルを壁面に複数配列することにより前記構造物の壁面を覆った壁面緑化システム。
【請求項１０】
該壁面緑化システムは、互いに隣接する第１及び第２の壁面緑化パネルを含み、
前記第１及び第２の壁面緑化パネルは、前記支持枠として板状部を共有しており、
前記板状部は、一方の面が前記第１の壁面緑化パネルの前記第１のフレーム面であり、他方の面が前記第２の壁面緑化パネルの前記第１のフレーム面であることを特徴とする請求項９に記載の壁面緑化システム。
【発明の詳細な説明】
【技術分野】
【０００１】
本発明は、構造物の壁面を緑化するための壁面緑化パネルなどに関するものである。
【背景技術】
【０００２】
近年、建物の意匠性の確保やヒートアイランド現象の抑制を図るために建物の壁面を緑化する壁面緑化パネルが考えられている。この種の壁面緑化パネルとして、従来、建物の壁面に苔が植生された植生シートを接着剤及びアンカーボルトで固定する方法が提案されている。
【先行技術文献】
【特許文献】
【０００３】
【特許文献１】特開２００４−２６１１３０号公報
【特許文献２】特開２０１０−１１０２３７号公報
【特許文献３】特開２０１０−１９３７４１号公報
【発明の概要】
【発明が解決しようとする課題】
【０００４】
しかしながら、上述の方法は、植生シートの表面側から壁面にアンカーボルトが打ち込まれる構成であり、アンカーボルトの本数が多くなると、苔の植生面積が小さくなり壁面緑化の目的を果たせなくなるおそれがあるため、アンカーボルトの本数を多くすることができなかった。そのため、接着剤による接着力が低下し、かつ、アンカーボルトが打ちこまれていない領域から、植生シートが剥がれ落ちるおそれがあった。
【０００５】
特に、壁面緑化パネルを駅舎の壁面に設置した場合には、電車から受ける風圧によって植生シートが落下し、この落下した植生シートが線路上部の架線、或いは電車のパンダグラフなどに接触して、電車の運行を妨げるおそれがあった。
【０００６】
そこで、本願発明は、壁面から植生シートが落下しにくい構造を備えた壁面緑化パネルを提供することを目的とする。
【課題を解決するための手段】
【０００７】
上記課題を解決するために、本発明に係る壁面緑化パネルは、（１）構造物の壁面緑化に用いられる壁面緑化パネルであって、表面に緑植物が植生され、壁面側から突出する針状部材に差し込まれることにより支持される植生パッドと、少なくとも前記植生パッドの側面に対向する方向に位置する第１のフレーム面と、前記植生パッドを挟んで前記壁面と向きあう方向に位置する第２のフレーム面とを備え、前記植生パッドを支持する支持枠と、前記植生パッドの厚み方向において、前記植生パッドよりも前記壁面から離間した位置に設けられ、前記植生パッドの平面方向に沿って延びる複数の線状部材を備える植生パッドの落下防止体と、前記落下防止体を前記支持枠に対して着脱可能に装着する外れ止め部材と、を有することを特徴とする。
【０００８】
（２）上記（１）の構成において、前記落下防止体は、網目状に形成することができる。（１）の構成によれば、突状部材から植生パッドが抜けた場合であっても、植生パッドの落下を防止することができる。
【０００９】
（３）上記（１）又は（２）の構成において、前記植生パッド及び前記壁面は接着剤により接着するとよい。これにより、植生パッドを壁面に強固に固定することができる。また、植生パッドは突状部材により姿勢が維持されるため、接着剤により植生パッド及び壁面を確実に接着させることができる。すなわち、接着剤が固着する前に、植生パッドが壁面から剥がれるのを防止できる。
【００１０】
（４）上記（１）〜（３）の構成において、前記針状部材の長さは、前記植生パットの厚みよりも短く設定されている。これにより、植生パッドの表面に針状部材が突出するのを防止できる。
【００１１】
（５）上記（１）〜（４）の構成において、前記針状部材は、前記壁面に固定される支持プレートに形成することができる。これにより、針状部材を簡単に設けることができる。
【００１２】
（６）上記（５）の構成において、前記支持プレート及び前記支持枠は前記植生パッドの厚み方向において互いに重ねて配置されており、これらの支持プレート及び支持枠を貫通して前記壁面に打ち込まれるアンカー部材を有する。これにより、支持プレート及び支持枠の固定作業を簡略化することができ、コストを削減することができる。
【００１３】
（７）上記（１）〜（６）の構成において、前記構造物は、駅舎であってもよい。駅舎のように電車走行時に風圧を受ける環境においても、植生パッドの落下を防止することができる。
【００１４】
（８）上記（１）〜（７）の構成において、前記外れ止め部材は、前記支持枠の外面に前記線状部材を押圧する押圧部を備えるとよい。この構成によれば、支持枠の着脱が容易となる。その結果、植生シートの交換が容易となり、メンテナンス作業を簡易に行うことができる。さらに、前記着脱部に外れ止め部材が設けられるため、メンテナンス作業の容易化と、支持枠の落下防止とを両立することができる。
【００１５】
（９）上記（１）〜（８）のうちいずれか一つに記載の壁面緑化パネルを壁面に複数配列することができる。これにより、壁面全体を壁面緑化パネルにより覆うことができる。
【００１６】
（１０）上記（９）の構成において、該壁面緑化システムは、互いに隣接する第１及び第２の壁面緑化パネルを含み、前記第１及び第２の壁面緑化パネルは、前記支持枠として板状部を共有しており、前記板状部は、一方の面が前記第１の壁面緑化パネルの前記第１のフレーム面であり、他方の面が前記第２の壁面緑化パネルの前記第１のフレーム面である。これにより、支持枠の構成が簡素化され、コストを削減することができる。
【発明の効果】
【００１７】
本発明によれば、壁面から植生シートが落下しにくい構造を備えた壁面緑化パネルを提供することができる。
【図面の簡単な説明】
【００１８】
【図１】壁面緑化パネルの斜視図（組み立て完成図）である。
【図２】壁面緑化パネルの斜視図（一部を省略した省略図）である。
【図３】壁面緑化システムの正面図である。
【図４】支持枠の断面図である。
【図５Ａ】保持部の断面図である。
【図５Ｂ】外れ止め部材の断面図である。
【図６】植生シートの断面図である。
【図７】変形例の支持枠の断面図である。
【図８】落下防止網の変形例を示した平面図である。
【図９】落下防止網の別の変形例を示した平面図である。
【図１０】変形例の支持枠の断面図である。
【発明を実施するための形態】
【００１９】
図１及び図２を参照しながら本発明の実施形態に係る壁面緑化パネルについて説明する。図１及び図２は壁面緑化パネルの斜視図であり、図１は壁面緑化パネルの組み立て完成図であり、図２は植生パッド及び落下防止網を省略して図示している。Ｘ軸、Ｙ軸及びＺ軸は互いに異なる直交する三軸を示す。
【００２０】
これらの図を参照して、本実施形態に係る壁面緑化パネル１は、支持枠１１、支持プレート１２、落下防止網（落下防止体）１３及び植生パッド１４を含む。壁面緑化パネル１は構造物の壁面２に設置される。構造物の壁面２に壁面緑化パネル１が設置されることにより、建物の意匠性を担保しながら、ヒートアイランド現象などを抑制することができる。当該構造物は、駅舎であってもよい。
【００２１】
図３は、本実施形態の壁面緑化パネル１を駅舎の壁面２に適用した壁面緑化システムＡの正面図である。壁面緑化パネル１は、矩形状に形成されており、上下方向に延びる駅舎の壁面２にマトリクス状に隙間なく配列される。壁面緑化パネル１は、壁面２全体に配列してもよいし、或いは壁面２の一部に配列してもよい。
【００２２】
図４は、支持枠１１をＸ−Ｙ面で切断した断面図である。支持枠１１は植生パッド１４のＸ軸方向の外縁部を支持する。支持枠１１は、第１のフレーム内面（第１のフレーム面）１１ａ、第２のフレーム内面（第２のフレーム面）１１ｂ及び第３のフレーム内面１１ｃを備える。第１のフレーム内面１１ａはＹ−Ｚ平面に沿って延びる。第２のフレーム内面１１ｂはＸ−Ｚ平面に沿って延びる。第３のフレーム内面１１ｃはＸ−Ｚ平面に沿って延びる。これらの第１〜第３のフレーム内面１１ａ〜１１ｃは、一体的に成形されている。植生パッド１４は、第２のフレーム内面１１ｂ及び第３のフレーム内面１１ｃに挟まれ領域内に、Ｚ軸方向からスライド挿入されることにより、支持枠１１に組み込まれる。
【００２３】
支持枠１１は、錆び難い材料から形成してもよいし、或いは表面に防錆処理を施した板材を用いてもよい。例えば、ステンレス、アルミニウム、耐候性鋼を用いることができる。
【００２４】
第１のフレーム内面１１ａは、植生パッド１４の側面（Ｙ−Ｚ面）と向きあっている。第１のフレーム内面１１ａが植生パッド１４の側面と向きあうことにより、Ｘ軸方向から吹き付ける風は支持枠１１の外面に当接して、植生パッド１４に向かう方向とは異なる方向に向かう。これにより、植生パッド１４が支持プレート１２から剥がれ、或いは壁面２から脱落するのを抑制できる。
【００２５】
第２のフレーム内面１１ｂは、Ｙ軸方向において植生パッド１４と向きあう。したがって、植生パッド１４にＹ軸方向の外力が加わった際に、植生パッド１４の外縁部が第２のフレーム内面１１ｂに当接して、植生パッド１４の移動が規制される。これにより、植生パッド１４が壁面緑化パネル１から落下するのを抑制できる。
【００２６】
第２のフレーム内面１１ｂと植生パッド１４との間にはクリアランスＣが形成されている。このクリアランスＣは、支持プレート１２の支持針１２ａよりも長く設定されている。これにより、植生パッド１４を支持枠１１にスライド挿入する際に、植生パッド１４が支持針１２ａに接触するのを防止できる。その結果、植生パッド１４をスムーズに支持枠１１に収めることができる。
【００２７】
また、支持針１２ａの長さは、植生パッド１４の厚みよりも短く設定されている。これにより、植生パッド１４を支持針１２ａに貫通させた際に、植生パッド１４の表面から支持針１２ａが突出するのが防止され、植生パッド１４の意匠性が低下するのを抑制できる。
【００２８】
再び図１及び図２を参照して、支持枠１１の支持枠外面１１ｄには、一つの外れ止め部材１５と、複数の保持部材１１ｅとが設けられている。外れ止め部材１５は、支持枠外面１１ｄの左側上端部に位置する。複数の保持部材１１ｅは、上下方向（Ｚ軸方向）に所定の間隔を隔てて形成されている。
【００２９】
図５Ａは、保持部材１１ｅの断面図である。保持部材１１ｅは、舌状に形成されており、上斜め方向に向かって延びている。保持部材１１ｅは、落下防止網１３の線状部１３ａの端部を支持枠外面１１ｄに向かって矢印方向に押圧している。これにより、落下防止網１３は、上下方向において支持される。保持部材１１ｅは、支持枠１１の壁面にバーリング加工を施すことにより穴の縁を突出させ、この突出した部分を屈曲させることにより形成してもよい。
【００３０】
図５Ｂは、外れ止め部材の断面図である。外れ止め部材１５は、落下防止網１３を支持枠１１の支持枠外面１１ｄに対して着脱可能に装着する。外れ止め部材１５は、固定板１５１と、締結部材１５２とを含む。固定板１５１は、Ｘ軸方向視において、Ｌ字状に折れ曲がった押圧部１５１ａと、押圧部１５１ａの両端部から支持枠外面１１ｄに沿ってＺ軸方向に延びる取り付け部１５１ｂとを含む。締結部材１５２は、締結ボルト１５２ａと、締結ナット１５２ｂと、押し込みバネ１５２ｃと、ワッシャ１５２ｄとを含む。締結ボルト１５２ａは、取り付け部１５１ｂ及び支持枠１１を貫通して、支持枠内面１１ｂ側に位置する締結ナット１５２ｂに締結される。締結ボルト１５２ａが締結ナット１５２ｂに締結されることにより、押圧部１５１ａによる押圧作用が働き、線状部１３ａを支持枠１１に対して押圧することができる。押し込みバネ１５２ｃは、締結ボルト１５２ａの軸周りに配設されており、ワッシャ１５２ｄを介して支持枠１１に対して固定板１５１を押圧している。これにより、落下防止網１３は、より強固に支持枠１１に対して装着される。さらに、締結ボルト１５２ａ及び締結ナット１５２ｂは固着手段により固着されている。これにより、締結ボルト１５２ａの回転動作が禁止されるため、締結トルクの低下を抑制できる。固着手段は、溶接、接着剤による接着であってもよい。なお、外れ止め部材１５は、一つではなく、複数であってもよい。
【００３１】
ここで、落下防止網１３を支持枠１１から取り外す場合の取り外し方法について説明する。図５Ｂを参照して、固定板１５１を支持枠１１から離間する方向（Ｙ軸方向に対して反対の方向）に引っ張ると、押し込みバネ１５２ｃが縮むことにより固定板１５１の移動が許容されるため、固定板１５１から線状部１３ａに対して加わる押圧力を無くすことができる。そして、固定板１５１を支持枠１１から離間させた状態で、落下防止網１３をＸ軸方向に移動させることにより、固定板１５１及び支持枠１１が対向する対向領域から線状部１３ａを退避させることができる。図５Ａを参照して、線状部１３ａが前記対向領域から退避した状態で、落下防止網１３を保持部材１１ｅによる押圧力に抗しながらＺ軸方向に移動させることにより、落下防止網１３を支持枠１１から取り外すことができる。
【００３２】
このように、落下防止網１３を支持枠１１に対して着脱可能な構成とすることにより、植生パッド１４の交換作業を簡素化することができる。
【００３３】
支持プレート１２は、植生パッド１４に面する側の外面に支持針１２ａを備える。支持針１２ａは、支持プレート１２に対して溶接などの手段により接合されている。図２に図示するように、支持針１２ａは、所定の間隔を隔てて支持プレート１２上に複数設けられている。支持針１２ａの個数は図示するように３つであってもよいが、これに限定されるものではない。支持針１２ａは支持プレート１２と一体的に形成してもよい。
【００３４】
支持針１２ａは、植生パッド１４の裏面側から差し込まれる。これにより、植生パッド１４がＹ軸方向とは反対方向の外力を受けた際に、支持針１２ａと植生パッド１４との間に摩擦力が働き、植生パッド１４が支持針１２ａから抜けるのが抑制される。その結果、植生パッド１４が壁面２から脱落するのが防止される。
【００３５】
支持プレート１２及び支持枠１１の第３のフレーム内面１１ｃは、Ｙ軸方向において重なる領域（以下、重なり領域という）を有する。この重なり領域に対して、アンカーボルト２１をＹ軸方向から打ちこむことにより支持枠１１及び支持プレート１２を壁面２に固定することができる。このように、重なり領域にアンカーボルト２１を打ちこむ方法を用いることにより、支持枠１１及び支持プレート１２を別々に壁面に固定する方法よりも、設置工程を少なくすることができる。これにより、コストを削減することができる。
【００３６】
さらに、アンカーボルト２１は、植生パッド１４により覆われ、外部から視認することができない。したがって、壁面緑化パネル１の意匠性を高めることができる。
【００３７】
植生パッド１４の裏面には、接着剤が塗布されていてもよい。これにより、植生パッド１４は、壁面２に対してより強固に固定される。前述したように、本実施形態の植生パッド１４は、支持プレート１２の支持針１２ａにより姿勢が維持される。そのため、植生パッド１４と壁面２との間に接着剤が介在した状態で、接着剤を乾燥させることができる。これにより、植生パッド１４及び壁面２を強固に固着することができる。
【００３８】
次に、図６を参照しながら、植生パッド１４について説明する。図６は植生シートの断面図である。同図を参照して、植生パッド１４は、基材シート１４１とこの基材シート１４１上に植生される緑色の植物１４２とを含む。植物１４２は、苔であってもよい。
【００３９】
本実施形態の構成によれば、接着剤が固まるまでは、支持針１２ａから受ける摩擦力により植生パッド１４の落下が防止される。接着剤が固着した後は、接着剤による接着力及び支持針１２ａから受ける摩擦力の双方により植生パッド１４の落下が防止される。仮に植生パッド１４が支持針１２ａから外れた場合であっても、落下防止網１３により植生パッド１４の落下が防止される。さらに、外れ止め部材１５が装着されることにより、落下防止網１３は、支持枠１１から離脱不能となるため、より効果的に植生パッド１４の落下が防止される。このように、本実施形態の壁面緑化パネル１は、植生パッド１４の落下を防止する複数の機構を有するため、線路の近傍など風圧が高い場所に配置しても、落下する危険性がない。
【００４０】
（変形例１）
図７を用いて支持枠１１の変形例について説明する。図７は支持枠の変形例であり、図４に対応している。支持枠３１は、隣接する植生シート３４ａ、３４ｂの間に位置する板状部３１Ａを備える。板状部３１Ａの一方の面には植生シート３４ａの側面に当接する第１のフレーム内面３１Ａａが形成され、他方の面には植生シート３４ｂの側面に当接する第１のフレーム内面３１Ａｂが形成される。このように、植生シート３４ａ、３４ｂの側面を一つの板状部３１Ａを用いて突風から保護することができる。これにより、コストを削減することができる。これに加えて、本変形例によれば、上記実施形態と同様の効果を得ることができる。
【００４１】
落下防止網の変形例について説明する。落下防止網１３は、植生パッド１４の落下を防止することができれば他の構成であってもよい。当該他の構成は、図８に図示する線状部材４１を一方向のみに複数配置した構成であってもよい。当該他の構成は、図９に図示するように線状部材５１を折り曲げて多角形の形状を形成し、これらを隙間なく配置した構成であってもよい。さらに、落下防止網１３は、ナイロンにより構成してもよい。ナイロンは、錆の発生がなく、紫外線による劣化も少ないため、落下防止網１３の寿命を長くすることができる。
【００４２】
（変形例２）
上述の実施形態では、支持枠１１及び支持プレート１２をアンカーボルト２１により一体的に壁面２に固定したが、本発明はこれに限られるものではなく、これらを別々に固定してもよい。例えば、アンカーボルト２１を用いて支持枠１１を壁面２に固定し、アンカーボルト２１とは異なるビスを用いて支持プレート１２を支持枠１１に固定してもよい。
【００４３】
（変形例３）
上述の実施形態では、落下防止網１３を支持枠１１の外面に押圧することにより固定したが、本発明はこれに限られるものではなく、他の構成であってもよい。当該他の構成は、落下防止網１３の線状部１３ａの端部を支持枠１１に設けられた穴部に挿入する構成であってもよい。この場合、落下防止網１３を屈曲させた状態で、線状部１３ａを当該穴部に挿入する。当該穴部に線状部１３ａを挿入した後に、落下防止網１３から手を離すと、落下防止網１３がフラットな形状に戻り、線状部１３ａが当該穴部のより奥に移動する。これにより、落下防止網１３の落下を防止することができる。この場合、当該穴部が、外れ止め部材に相当する。
【００４４】
（変形例４）
上述の実施形態では、図４に図示するように、植生パッド１４を支持枠１１に組み込むためにクリアランスCを設けたが、本発明はこれに限られるものではなく、クリアランスCを省略することもできる。図１０は本変形例４の支持枠の断面図である。上記実施形態と同一の機能を有する構成要素には同一符合を付している。植生パッド１４は、Y軸方向とは反対方向に凸となるように屈曲された状態で、Y軸方向から支持枠１１の中に組み込まれる。支持枠１１に落下防止網１３を装着すると、支持枠１１のY軸方向の端面が屈曲した植生パッド１４の凸部に当接し、植生パッド１４は支持プレート１２に接近する方向に押し込まれる。その結果、植生パッド１４は、支持針１２aに差し込まれて固定される。さらに、植生パッド１４を支持針１２aに差し込む際に、支持枠１１に装着される落下防止網１３により、植生パッド１４の落下が防止される。
【００４５】
（変形例５）
上述の実施形態では、図２に図示するように、支持枠１１の外面に外れ止め部材１５を設けたが、本発明はこれに限られるものではなく、他の構成であってもよい。当該他の構成は、第２のフレーム内面（第２のフレーム面）１１ｂに外れ止め部材１５を設ける構成であってもよい。この場合、落下防止網１３は、支持枠１１の内面に沿って配置される。外れ止め部材１５は、上述の実施形態と同様であってもよい。本変形例の構成によれば、落下防止網１３が植生シート１４にさらに接近し、植生シート１４を支持プレート１２に対して押圧することができる。さらに、落下防止効果を維持しながら、植生シート１４の接着剤を省略することもできる。
【００４６】
上述の実施形態では、締結部材１５２を用いて固定板１５１を支持枠１１に固定したが、本発明はこれに限られるものではなく、締結部材１５２の代わりにテーパ形状の部材（以下、テーパ部材という）を用いることができる。すなわち、固定板１５１の取り付け部１５１ｂ及び支持枠１１に開口部を形成し、この開口部にテーパ部材を圧入することにより、固定手段とすることができる。この場合、テーパ部材を支持枠１１に接近するにしたがって縮径するような向きに配置することにより、固定板１５１がテーパ部材からの抜けることを防止できる。また、テーパ部材を用いた場合、押し込みバネ１５２ｃは省略することができる。
【００４７】
上述の実施形態では、締結部材１５２を用いたが、本発明はこれに限られるものではなく、締結部材１５２の代わりにビスを用いることもできる。この場合、ビスは、支持枠１１の外面に溶接してもよい。
【符号の説明】
【００４８】
１  壁面緑化パネル
１１  支持枠
１２  支持プレート
１２ａ  支持針
１３  落下防止網
１３ａ  線状部
１４  植生シート
１５  外れ止め部材
【図１】
2012135302.tif 000003
【図２】
2012135302.tif 000004
【図３】
2012135302.tif 000005
【図４】
2012135302.tif 000006
【図５Ａ】
2012135302.tif 000007
【図５Ｂ】
2012135302.tif 000008
【図６】
2012135302.tif 000009
【図７】
2012135302.tif 000010
【図８】
2012135302.tif 000011
【図９】
2012135302.tif 000012
【図１０】
2012135302.tif 000013